(57)【特許請求の範囲】
【請求項１】
スポーツ用シューズのミッドソール構造において、
軟質弾性部材から構成されかつシューズの踵部位から前足部位にかけて延びる上部ミッドソールの踵部分と軟質弾性部材から構成されかつシューズの踵部位に配置された下部ミッドソールの踵部分との間に波形シートを介在させ、前記上下部ミッドソールの前記各踵部分が前記波形シートと接触する個所に幅方向の横穴を複数個形成し、前記横穴に連通して上下方向に延びかつ前記上部ミッドソールの前記踵部分の足裏当接面に開口する通気孔を複数個形成するとともに、
前記上部ミッドソールの中足部に上下方向の貫通孔を形成し、前記貫通孔の上部ミッドソール下面側開口部分に凹部を形成するとともに、前記波形シートの一部が、前記凹部の一部を覆いかつ前記貫通孔の前記上部ミッドソール下面側開口部分と上下方向に対向するカバー部を有している、
ことを特徴とするスポーツ用シューズのミッドソール構造。
【請求項２】
スポーツ用シューズのミッドソール構造において、
軟質弾性部材から構成された上部ミッドソールおよび下部ミッドソールの少なくとも踵部分において上下部ミッドソール間に波形シートを介在させ、前記上下部ミッドソールが前記波形シートと接触する個所に幅方向の横穴を複数個形成し、前記横穴に連通して上下方向に延びかつ前記上部ミッドソールの前記踵部分の足裏当接面に開口する通気孔を複数個形成するとともに、
前記上部ミッドソールの中足部に上下方向の貫通孔を形成し、前記貫通孔と連通して前後方向に延びる溝を前記上部ミッドソールの前足部に形成し、前記溝と連通して上下方向に延びかつ前記上部ミッドソールの前足部の足裏当接面に開口する通気孔を複数個形成し、
さらに、前記上部ミッドソールの中足部において前記上下方向の貫通孔の上部ミッドソール下面側開口部分に凹部を形成するとともに、前記波形シートの一部が、前記凹部の一部を覆いかつ前記上下方向の貫通孔の上部ミッドソール下面側開口部分と上下方向に対向するカバー部を有している、
ことを特徴とするスポーツ用シューズのミッドソール構造。
【請求項３】
請求項１または２において、
前記波形シートの一部が、前記カバー部に隣接して形成された穴を有しており、前記穴が、前記上部ミッドソールの中足部の前記貫通孔の前記上部ミッドソール下面側開口部分と上下方向に対向していない、
ことを特徴とするスポーツ用シューズのミッドソール構造。
【発明の詳細な説明】
【０００１】
【発明の属する技術分野】
本発明は、スポーツ用シューズのミッドソール構造において、軟質弾性部材で構成されたミッドソール内に通気孔が形成されたものに関する。
【０００２】
【従来の技術およびその課題】
一般に、シューズの靴底は、ミッドソールと、その下面に貼り合わされ、路面と直接接地するアウトソールとから主として構成されている。そして、ミッドソールは、シューズとしてのクッション性を確保するために、一般に軟質弾性部材で構成されている。
【０００３】
ところで、シューズには、着用時にある程度の通気性が確保されている方が好ましい。そこで、従来より、通気孔を設けたシューズが各種提案されている。
【０００４】
たとえば、特開平８−１３１２０４号公報に示すものでは、同公報の第３欄第５〜１１行および図１ないし図３に記載されているように、底部材の本体部に複数の横穴が形成されるとともに、これらの横穴と連通しかつ中敷き部を貫通する複数の縦穴が底部材の本体部に形成されている。また、実公昭６３−４３９２３号公報に示すものでは、同公報の第２欄第２２行〜第３欄第１７行に記載されているように、上板を厚さ方向に貫通する複数の通孔と、各通孔に対応して下板に形成された溝部とが設けられている。
【０００５】
これらいずれの場合においても、横穴および縦穴を介してまたは通孔および溝部を介して、外気がシューズ内部に流入することにより、シューズ内部の通気性が得られるようになっている。
【０００６】
しかしながら、前記従来の構造では、ゴム等の弾性部材からなる本体部または下板に横穴または溝部が単に形成されているだけなので、スポーツ用シューズのように、着地時に衝撃荷重が作用する場合には、本体部または下板の圧縮変形により横穴または溝部が変形して押しつぶされ、その結果、シューズ内部の通気が遮断されてしまうことになる。
【０００７】
本発明は、このような従来の実情に鑑みてなされたもので、通気性を確保できるスポーツ用シューズのミッドソール構造を提供することを目的とする。
【０００８】
【課題を解決するための手段】
請求項１の発明に係るスポーツ用シューズのミッドソール構造は、軟質弾性部材から構成されかつシューズの踵部位から前足部位にかけて延びる上部ミッドソールの踵部分と軟質弾性部材から構成されかつシューズの踵部位に配置された下部ミッドソールの踵部分との間に波形シートを介在させ、前記上下部ミッドソールの前記各踵部分が前記波形シートと接触する個所に幅方向の横穴を複数個形成し、前記横穴に連通して上下方向に延びかつ前記上部ミッドソールの前記踵部分の足裏当接面に開口する通気孔を複数個形成するとともに、前記上部ミッドソールの中足部に上下方向の貫通孔を形成し、前記貫通孔の上部ミッドソール下面側開口部分に凹部を形成するとともに、前記波形シートの一部が、前記凹部の一部を覆いかつ前記貫通孔の前記上部ミッドソール下面側開口部分と上下方向に対向するカバー部を有していることを特徴としている。
【０００９】
請求項２の発明に係るスポーツ用シューズのミッドソール構造は、軟質弾性部材から構成された上部ミッドソールおよび下部ミッドソールの少なくとも踵部分において上下部ミッドソール間に波形シートを介在させ、前記上下部ミッドソールが前記波形シートと接触する個所に幅方向の横穴を複数個形成し、前記横穴に連通して上下方向に延びかつ前記上部ミッドソールの前記踵部分の足裏当接面に開口する通気孔を複数個形成するとともに、前記上部ミッドソールの中足部に上下方向の貫通孔を形成し、前記貫通孔と連通して前後方向に延びる溝を前記上部ミッドソールの前足部に形成し、前記溝と連通して上下方向に延びかつ前記上部ミッドソールの前足部の足裏当接面に開口する通気孔を複数個形成し、さらに、前記上部ミッドソールの中足部において前記上下方向の貫通孔の上部ミッドソール下面側開口部分に凹部を形成するとともに、前記波形シートの一部が、前記凹部の一部を覆いかつ前記上下方向の貫通孔の上部ミッドソール下面側開口部分と上下方向に対向するカバー部を有していることを特徴としている。
【００１０】
請求項３の発明に係るスポーツ用シューズのミッドソール構造は、請求項１または２において、前記波形シートの一部が、前記カバー部に隣接して形成された穴を有しており、前記穴が、前記上部ミッドソールの中足部の前記貫通孔の前記上部ミッドソール下面側開口部分と上下方向に対向していないことを特徴としている。
【００１１】
請求項１の発明によれば、シューズの使用時には、上下部ミッドソールの各踵部分に形成された幅方向の横穴および該横穴に連通する上下方向の通気孔を介して、外気がシューズ内部に流入するので、シューズ内部のとくに踵部位に通気性が得られる。しかも、この場合には、波形シートが、横穴の形状を保持するための保持部材として作用するので、シューズの着地時に上下部ミッドソールに衝撃荷重が作用して上下部ミッドソールが圧縮変形した場合でも、波形シートの作用により、横穴が変形して押しつぶされるのを防止できる。これにより、スポーツ用シューズにおいても通気性を確保できる。
【００１２】
それと同時に、波形シートの作用によって上下部ミッドソールが圧縮変形しにくくなることにより、上下部ミッドソールの各踵部分の横ずれ変形を防止でき、シューズ着地時の走行安定性を確保できる。
【００１３】
また、波形シートの作用により、横穴の変形後の回復がスムーズに行われるようになり、これにより、ポンプ作用によって効率よく通気ができるようになる。さらに、波形シートとして弾性に優れたものを使用するようにすれば、横穴がへたりにくくなり、長期間にわたってシューズの通気性を維持できる。
【００１４】
さらに、この場合には、上部ミッドソールの中足部に上下方向の貫通孔を形成したので、該貫通孔を介して外気がシューズ内部に流入し、これにより、シューズ内部のとくに中足部位（土踏まず部分）に通気性が得られる。
【００１５】
しかも、この場合には、波形シートの一部に設けられたカバー部が、上部ミッドソール中足部の下面側に形成された凹部の一部を覆うとともに、前記上下方向の貫通孔の上部ミッドソール下面側開口部分と上下方向に対向している。これにより、上部ミッドソールの中足部に形成された上下方向の貫通孔の上部ミッドソール下面側開口部分が接地面に露出するのを防止でき、シューズ着地時に、外部の水や砂、埃等が上部ミッドソール中足部の貫通孔からシューズ内部に浸入しにくくなっている。その結果、アウトドア用シューズとしても問題なく使用できる。
【００１６】
請求項２の発明によれば、上下部ミッドソールの少なくとも踵部分に波形シートを設けたことによって、上下部ミッドソールの圧縮変形が抑制され、また波形シート自体によって横穴の形状が保持され、これにより、上下部ミッドソールに衝撃荷重が作用した場合でも、横穴の変形が防止されてシューズ内部のとくに踵部位の通気性が確保できるとともに、上下部ミッドソールの踵部分の横ずれ変形が防止されて、シューズ着地時の走行安定性を確保できる。
【００１７】
また、上部ミッドソールの中足部に上下方向の貫通孔を形成したことにより、シューズ内部のとくに中足部位（土踏まず部分）に通気性が得られる。さらに、中足部に形成した前後方向の溝と連通する上下方向の通気孔を前足部に形成したことにより、シューズ内部の前足部位にも通気性が得られる。さらに、この場合には、中足部の貫通孔から前後方向の通気路（たとえば溝）および前足部の通気孔を介して、外気がシューズ内部に流入するので、シューズ内部の前足部位にも通気性が得られる。
【００１８】
しかも、この場合には、波形シートの一部に設けられたカバー部が、上部ミッドソール中足部の下面側に形成された凹部の一部を覆うとともに、貫通孔の上部ミッドソール下面側開口部分と対向している。これにより、貫通孔の上部ミッドソール下面側開口部分が接地面に露出するのを防止でき、シューズ着地時に、外部の水や砂、埃等が上部ミッドソール中足部の貫通孔からシューズ内部に浸入しにくくなっている。その結果、アウトドア用シューズとしても問題なく使用できる。
【００１９】
請求項３の発明によれば、請求項１または２において、波形シートの一部がカバー部に隣接して形成された穴を有しており、該穴が、上部ミッドソール中足部に形成された上下方向の貫通孔の上部ミッドソール下面側開口部分と上下方向に対向していないので、貫通孔の上部ミッドソール下面側開口部分が接地面に露出するのを防止でき、アウトドア用シューズとしても問題なく使用できるとともに、該穴から外気をシューズ内部に導入できる。
【００２０】
【発明の実施の形態】
〔スポーツ用シューズの全体構造の説明〕
図１は、本発明の一実施態様によるミッドソール構造が採用されたスポーツ用シューズを示している。スポーツ用シューズ１の靴底は、甲被部２の下部が貼り合わされたミッドソール３と、ミッドソール３内に介在し、波形状を有する波形シート４と、ミッドソール３の下面に貼り合わされ、路面と直接接地するアウトソール５とから主として構成されている。
【００２１】
ミッドソール３は、着地時にシューズ１の底部にかかる衝撃を緩和する目的で用いられており、波形シート４をその上下方向から挟み込むように配置された上部ミッドソール３ａおよび下部ミッドソール３ｂから構成されている。上部ミッドソール３ａはシューズ１の全長にわたって、すなわち踵部位から前足部位にかけて延びており、下部ミッドソール３ｂは、シューズ１の主に踵部位に配置されている。
【００２２】
ミッドソール３を形成する材料としては、一般に、良好なクッション性を備えた材料である軟質弾性部材が用いられるが、具体的には、エチレン−酢酸ビニル共重合体（ＥＶＡ）等の熱可塑性合成樹脂の発泡体やポリウレタン（ＰＵ）等の熱硬化性樹脂の発泡体、またはブタジエンラバーやクロロプレンラバー等のラバー素材の発泡体が用いられる。
【００２３】
波形シート４は、好ましくは、比較的弾性に富む素材である熱可塑性ポリウレタン（ＴＰＵ）やポリアミドエラストマー（ＰＡＥ）、ＡＢＳ樹脂等の熱可塑性樹脂あるいはエポキシ樹脂等や不飽和ポリエステル樹脂等の熱硬化性樹脂から構成される。あるいは、弾性金属製のプレートまたは弾性金属製繊維からなるメッシュシートから波形シート４が構成されていてもよい。
【００２４】
また、ミッドソール３が波形シート４と接触する個所には、幅方向に（図１紙面奥側に向かって）延びる複数の横穴６，７が形成されている。
【００２５】
〔ミッドソール構造の説明〕
次に、本発明によるミッドソール構造の一実施態様を図２ないし図８を用いて説明する。なお、これらの図において、図２は左足側のミッドソール構造の平面図、図３はその外側（外甲側）側面図、図４は内側（内甲側）側面図、図５は底面図、図６は図５のVI-VI 線断面図、図７および図８はミッドソール構造を構成する上部ミッドソールを底面側から見た斜視図であって、図７は波形シートが装着された状態を、図８は波形シートが装着されていない状態をそれぞれ示している。
【００２６】
図２ないし図５に示すように、波形シート４は、ミッドソール３内の踵部分Ａから中足部分（土踏まず部分）Ｂにかけて延在しており、波形状が形成された踵部位４ａと、踵部位４ａと一体に形成された略平板状の中足部位４ｂとから構成されている。また、図２中の踵部位４ａにおける幅方向の破線は、波形シート４の波形状における山または谷の線を示している。
【００２７】
図２ないし図５および図８から分かるように、ミッドソール３に形成された横穴６，７のうち、横穴６は下部ミッドソール３ｂを幅方向に貫通して内甲側から外甲側まで延びる貫通孔であるのに対し、横穴７は上部ミッドソール３ａの外甲側から幅方向中央部まで延びる底付穴になっている。このように、横穴６，７を上部ミッドソール３ａおよび下部ミッドソール３ｂの合わせ面に形成するようにしたことにより、横穴６，７の形成が容易になる。
【００２８】
なお、これらの横穴６，７は、本来的には、これらの横穴形成個所の波形シートの変形を容易にして、シューズ着地時のクッション性を向上させるとともに、ミッドソール全体を軽量化するために設けられている（特開平１１−３４６８０３号公報参照）。
【００２９】
図２および図３に示すように、上部ミッドソール３ａには、横穴７と連通して上下方向に延びるとともに、上部ミッドソール３ａの踵部分Ａの足裏当接面３０に開口する貫通孔（通気孔）１０が形成されている。同様に、上部ミッドソール３ａには、波形シート４に形成された穴４０（図７参照）を介して横穴６と連通するとともに、上部ミッドソール３ａの踵部分Ａの足裏当接面３０に開口する上下方向の貫通孔（通気孔）１１が形成されている。なお、これらの貫通孔１０，１１は、少なくとも一つ形成されていればよい。
【００３０】
上述のように、横穴６，７を上部ミッドソール３ａおよび下部ミッドソール３ｂの合わせ面に形成したことにより、貫通孔１０，１１は上部ミッドソール３ａのみに形成すればよいので、貫通孔１０，１１の形成を容易に行えるようになる。
【００３１】
上部ミッドソール３ａの中足部分Ｂには、図２および図８に示すように、上下方向に延びる貫通孔３１が形成されている。貫通孔３１の上部ミッドソール底面側（つまり下面側）開口部分には、凹部３２が形成されている。上部ミッドソール３ａの前足部分Ｃの足裏当接面側には、凹部３２と連通しかつ前後方向に延びる複数本の溝３３が形成されている。溝３３は、中足部分Ｂの底面側に形成されかつ凹部３２と連通する溝３３′を介して、凹部３２と連通している。
【００３２】
また、上部ミッドソール３ａの前足部分Ｃの底面側には、概略幅方向に延びる溝３４が形成されている。溝３４内には、上部ミッドソール３ａを上下方向に貫通する複数の貫通孔（通気孔）３５が形成されており、貫通孔３５は溝３３と連通している。なお、溝３３は、上部ミッドソール３ａの前足部分Ｃの底面側に形成されていてもよい。あるいは、溝３３のかわりに、上部ミッドソール３ａの前足部分Ｃの内部に、前後方向に延びる通気路を形成するようにしてもよい。
【００３３】
溝３４の開口部分には、図６に示すように、透明樹脂製のカバー５０（図５，図７および図８では省略）が装着されており、このカバー５０により、シューズの着地時に、外部の水や砂等が貫通孔３５の底面側開口部分からシューズ内部に浸入しにくくなっている。なお、溝３４により、ミッドソール前足部の屈曲性が向上している。また、このような溝３４と同様の概略幅方向の溝を、中足部分Ｂにおける凹部３２の形成個所に形成するようにしてもよい。
【００３４】
図５および図７に示すように、上部ミッドソール３ａの中足部分Ｂに形成された凹部３２に対応する波形シート部分には、貫通孔３１の開口部分と対向する帯状のカバー部４１と、穴４２とが形成されている。
【００３５】
次に、本実施態様の作用効果について説明する。
シューズ１の使用時には、ミッドソール３の踵部分に形成された横穴６，７およびこれらに連通する貫通孔１０，１１を介して、外気がシューズ内部に流入するので、シューズ内部のとくに踵部位の通気性が得られる。
【００３６】
しかも、この場合には、ミッドソール３の踵部分に波形シート４を設けたことによって、ミッドソール３の圧縮変形が抑制されることにより、また波形シート４自体が横穴６，７の形状を保持することにより、ミッドソール３に衝撃荷重が作用した場合でも、横穴６，７が変形して押しつぶされるのを防止でき、シューズ内部のとくに踵部位の通気性が確保できるとともに、ミッドソール３の踵部分の横ずれ変形を防止でき、シューズ着地時の走行安定性を確保できる。
【００３７】
また、波形シート４の作用により、横穴６，７の変形後の回復がスムーズに行われるようになり、これにより、ポンプ作用によって効率よく通気ができるようになる。さらに、波形シート４として弾性に優れた部材を使用するようにすれば、横穴６，７がへたりにくくなり、長期間にわたってシューズの通気性を維持できる。なお、弾性に優れた部材としては、繊維強化プラスチックまたは金属等が挙げられる。
【００３８】
また、ミッドソール３の中足部分に上下方向の貫通孔３１を形成したことにより、波形シート４の穴４２および貫通孔３１の開口部分を介して、外気がシューズ内部に流入するので、シューズ内部のとくに中足部位（土踏まず部分）に通気性が得られる。さらに、中足部分の凹部３２から溝３３および貫通孔３５を介して、また前足部分の溝３４および貫通孔３５を介して、外気が前足部分にも導入されるので、シューズ内部の前足部位にも通気性が得られる。
【００３９】
しかも、この場合には、波形シート４に設けられたカバー部４１が、ミッドソール中足部分の底面側開口部分の凹部３２の一部を覆うとともに、貫通孔３１の開口部分と対向している。すなわち、貫通孔３１の開口部分が接地面に直接露出するのが防止されている。これにより、シューズ着地時に、外部の水や砂、埃等が貫通孔３１からシューズ内部に浸入しにくくなっており、その結果、シューズ１をアウトドア用シューズとしても問題なく使用できるようになる。
【００４０】
また、本実施態様では、ミッドソール３のクッション性を向上させるために設けられた横穴６，７を利用してシューズの通気を行うようにしたので、通気孔が設けられているのが外観上明らかに分かるシューズと異なり、美観を損なうことがない。
【００４１】
【発明の効果】
以上のように本発明によれば、シューズ使用時には、ミッドソール踵部分に形成された横穴およびこれに連通する通気孔を介して、シューズ内部のとくに踵部位に通気性が得られるばかりでなく、シューズ着地時にミッドソールに衝撃荷重が作用した場合でも、波形シートの作用により、横穴が変形して押しつぶされるのを防止でき、これにより、スポーツ用シューズにおいても通気性を十分に確保できる効果がある。
【図面の簡単な説明】
【図１】本発明の一実施態様によるミッドソール構造が採用されたスポーツ用シューズ（左足側）の外側（外甲側）側面図である。
【図２】本発明の一実施態様による左足側のミッドソール構造の平面図である。
【図３】図２のミッドソール構造の外側（外甲側）側面図である。
【図４】図２のミッドソール構造の内側（内甲側）側面図である。
【図５】図２のミッドソール構造の底面図である。
【図６】図５のVI-VI 線断面図である。
【図７】図２のミッドソール構造を構成する上部ミッドソールを底面側から見た斜視図であって、波形シートが装着された状態を示している。
【図８】図２のミッドソール構造を構成する上部ミッドソールを底面側から見た斜視図であって、波形シートが装着されていない状態を示している。
【図１】
0003542756.tif 000002
【図２】
0003542756.tif 000003
【図３】
0003542756.tif 000004
【図４】
0003542756.tif 000005
【図５】
0003542756.tif 000006
【図６】
0003542756.tif 000007
【図７】
0003542756.tif 000008
【図８】
0003542756.tif 000009